(57)【特許請求の範囲】
【請求項１】
配下の電話端末を複数の呼制御サーバに接続する電話アダプタであって、
前記配下の電話端末から発信指示を受け付けた場合に、当該発信指示で指定されている番号列に基づいて、前記複数の呼制御サーバのなかから、接続先の呼制御サーバを判定する判定手段と、
前記判定手段により判定された前記接続先の呼制御サーバに、前記発信指示で指定されている番号列により特定される接続先番号を含む接続要求メッセージを送信する発信制御手段と、
所定の呼制御サーバに帰属している各電話端末のプレゼンス状態を管理するプレゼンスサーバに、前記配下の電話端末のプレゼンス状態を送信するプレゼンス状態通知手段と、
前記プレゼンスサーバから、前記所定の呼制御サーバに帰属している各電話端末のプレゼンス状態を受信するプレゼンス状態受信手段と、
前記プレゼンス状態受信手段により受信された、前記所定の呼制御サーバに帰属している各電話端末のプレゼンス状態を出力するプレゼンス状態出力手段と、を有する
ことを特徴とする電話アダプタ。
【請求項２】
請求項１に記載の電話アダプタであって、
前記番号列は、プレフィックス番号および接続先番号で構成されており、
前記判定手段は、
前記発信指示で指定されている番号列に含まれているプレフィックス番号に基づいて、前記複数の呼制御サーバのなかから、前記接続先の呼制御サーバを判定し、
前記発信制御手段は、
前記発信指示で指定されている番号列から前記プレフィックス番号を削除することにより、前記接続要求メッセージに含める接続先番号を生成する
ことを特徴とする電話アダプタ。
【請求項３】
請求項１又は２に記載の電話アダプタであって、
何れかの呼制御サーバから接続要求メッセージを受信した場合に、前記配下の電話端末に、当該接続要求メッセージに含まれている接続元番号により特定される番号列の指定を含む着信通知を送信する着信制御手段をさらに有する
ことを特徴とする電話アダプタ。
【請求項４】
請求項３に記載の電話アダプタであって、
前記着信制御手段は、
前記接続要求メッセージに含まれている接続元番号に、当該接続要求メッセージの送信元の呼制御サーバに応じて定まるプレフィックス番号を付加することにより、前記着信通知に含める番号列を生成する
ことを特徴とする電話アダプタ。
【請求項５】
請求項３又は４に記載の電話アダプタであって、
前記着信制御手段は、
前記何れかの呼制御サーバから前記接続要求メッセージを受信した場合に、前記配下の電話端末に、当該接続要求メッセージの送信元の呼制御サーバに応じて定まる鳴動パターンの着信音信号を送信する
ことを特徴とする電話アダプタ。
【請求項６】
請求項１乃至５の何れか一項に記載の電話アダプタであって、
前記プレゼンス状態出力手段は、
前記配下の電話端末に、前記プレゼンス状態受信手段により受信された、前記所定の呼制御サーバに帰属している各電話端末のプレゼンス状態を表す音声信号を送信する
ことを特徴とする電話アダプタ。
【請求項７】
請求項１乃至６の何れか一項に記載の電話アダプタであって、
前記プレゼンス状態通知手段は、
前記配下の電話端末よりプレゼンス状態の変更指示を受け付けた場合に、当該変更指示で指定されているプレゼンス状態を前記プレゼンスサーバに送信する
ことを特徴とする電話アダプタ。
【請求項８】
請求項１乃至７の何れか一項に記載の電話アダプタであって、
前記複数の呼制御サーバ各々への帰属および前記複数の呼制御サーバ各々からの離脱を制御する帰属制御手段をさらに有し、
前記プレゼンス状態通知手段は、
前記帰属制御手段によって前記所定の呼制御サーバに帰属した場合に、オンラインを表すプレゼンス状態を前記プレゼンスサーバに送信し、前記帰属制御手段によって前記所定の呼制御サーバから離脱した場合に、オフラインを表すプレゼンス状態を前記プレゼンスサーバに送信する
ことを特徴とする電話アダプタ。
【請求項９】
請求項１乃至８の何れか一項に記載の電話アダプタを備えた電話端末。
【請求項１０】
電話アダプタにより配下の電話端末を複数の呼制御サーバに接続する呼接続方法であって、
前記電話アダプタは、
所定の呼制御サーバに帰属している各電話端末のプレゼンス状態を管理するプレゼンスサーバに、前記配下の電話端末のプレゼンス状態を送信し、
前記プレゼンスサーバから、前記所定の呼制御サーバに帰属している各電話端末のプレゼンス状態を受信し出力し、
前記配下の電話端末から発信指示を受け付けた場合に、当該発信指示で指定されている番号列に基づいて、前記複数の呼制御サーバのなかから、接続先の呼制御サーバを判定し、
当該判定された接続先の呼制御サーバに、前記発信指示で指定されている番号列により特定される接続先番号を含む接続要求メッセージを送信する
ことを特徴とする呼接続方法。
【発明の詳細な説明】
【技術分野】
【０００１】
本発明は、電話端末を複数の呼制御サーバに接続する技術に関する。
【背景技術】
【０００２】
特許文献１には、ＳＩＰ（Ｓｅｓｓｉｏｎ  Ｉｎｉｔｉａｔｉｏｎ  Ｐｒｏｔｏｃｏｌ）サーバに冗長構成を持たせたＩＰ電話システムが開示されている。このＩＰ電話システムにおいて、運用系のＳＩＰサーバに障害が発生すると、この運用系のＳＩＰサーバが停止して、予備系のＳＩＰサーバが起動し、この予備系のＳＩＰサーバが運用系のＳＩＰサーバの処理を引き継ぐ。ここで、予備系のＳＩＰサーバには、運用系のＳＩＰサーバと同じＩＰアドレスが付与される。このため、ＳＩＰゲートウェイを含むＩＰ端末は、ＳＩＰサーバの冗長構成に対応するための特別な仕組みを必要としない。
【特許文献１】特開２００７−１４２９７６号公報
【発明の開示】
【発明が解決しようとする課題】
【０００３】
近年のＩＰネットワークの進歩に伴い、自宅勤務においても会社にいるのと同様の通信環境を実現できるようになってきた。例えば、自宅のＩＰ電話機を会社のＳＩＰサーバに帰属させることで、自宅のＩＰ電話機を会社の内線電話機として使用することも可能となってきている。
【０００４】
しかし、この場合、外線への発信は会社のＳＩＰサーバ経由で行われることとなるため、ビジネス用およびプライベート用の使い分けができない。なお、特許文献１に記載のＩＰ電話システムは複数のＳＩＰサーバを備えているが、これは冗長構成を持たせるためであり、複数のＳＩＰサーバを使い分けることを想定していない。
【０００５】
本発明は上記事情に鑑みてなされたものであり、本発明の目的は、ビジネス用、プライベート用といったように、一つの電話端末で複数の呼制御サーバを使い分けることが可能な技術を提供することにある。
【課題を解決するための手段】
【０００６】
上記課題を解決するために、本発明では、電話端末から発信指示を受け付けた場合に、この発信指示で指定されている番号列に基づいて、帰属中の複数の呼制御サーバのなかから、接続先の呼制御サーバを判定し、この接続先の呼制御サーバに、この発信指示で指定されている番号列により特定される接続先番号を含む接続要求メッセージを送信する。
【０００７】
例えば、本発明は、配下の電話端末を複数の呼制御サーバに接続する電話アダプタであって、
前記配下の電話端末から発信指示を受け付けた場合に、当該発信指示で指定されている番号列に基づいて、前記複数の呼制御サーバのなかから、接続先の呼制御サーバを判定する判定手段と、
前記判定手段により判定された前記接続先の呼制御サーバに、前記発信指示で指定されている番号列により特定される接続先番号を含む接続要求メッセージを送信する発信制御手段と、
所定の呼制御サーバに帰属している各電話端末のプレゼンス状態を管理するプレゼンスサーバに、前記配下の電話端末のプレゼンス状態を送信するプレゼンス状態通知手段と、
前記プレゼンスサーバから、前記所定の呼制御サーバに帰属している各電話端末のプレゼンス状態を受信するプレゼンス状態受信手段と、
前記プレゼンス状態受信手段により受信された、前記所定の呼制御サーバに帰属している各電話端末のプレゼンス状態を出力するプレゼンス状態出力手段と、を有する。
【発明の効果】
【０００８】
本発明によれば、ビジネス用、プライベート用といったように、一つの電話端末で複数の呼制御サーバを使い分けることができる。
【発明を実施するための最良の形態】
【０００９】
以下、本発明の実施の形態について説明する。
【００１０】
図１は、本発明の一実施の形態に係る電話アダプタを含むＩＰ電話システムの概略図である。
【００１１】
図示するように、本実施の形態に係る電話アダプタ１は、配下の電話機（例えばアナログ電話機）２を、ＩＰ網６を介して複数のサーバ３〜５に接続する。
【００１２】
ここで、公衆ＩＰ電話サービス用ＳＩＰサーバ３は、公衆ＩＰ電話サービスを提供するプライベート用のＳＩＰサーバである。内線ＩＰ電話サービス用ＳＩＰサーバ４は、企業の内線ＩＰ電話サービスを提供するビジネス用のＳＩＰサーバである。
【００１３】
そして、内線ＩＰ電話サービス用プレゼンスサーバ５は、内線ＩＰ電話サービス用ＳＩＰサーバ４が収容可能な各ＳＩＰ端末（例えば電話アダプタ１、不図示のＩＰ電話機等：以下、内線端末と呼ぶ）のプレゼンス状態（出社（オンライン）、外出中、食事中、接客中、在席、退社（オフライン）等）を管理するプレゼンスサーバである。内線ＩＰ電話サービス用プレゼンスサーバ５は、何れかの内線端末のプレゼンス状態が更新される毎に、内線ＩＰ電話サービス用ＳＩＰサーバ４に帰属中の各内線端末に、各内線端末の最新のプレゼンス状態を通知するものとする。
【００１４】
図１において、電話アダプタ１は、電話機２から発信指示を受け付けた場合に、この発信指示で指定されている番号列に基づいて、複数のＳＩＰサーバ３、４のなかから接続先のＳＩＰサーバを判定し、この接続先のＳＩＰサーバに、この発信指示で指定されている番号列により特定される接続先番号を含む接続要求メッセージを送信する。また、電話アダプタ１は、何れかのＳＩＰサーバ３、４から接続要求メッセージを受信した場合に、電話機２に、この接続要求メッセージに含まれている接続元番号により特定される番号列の指定を含む着信通知を送信する。さらに、電話アダプタ１は、内線ＩＰ電話サービス用プレゼンスサーバ５にプレゼンス状態を送信するとともに、内線ＩＰ電話サービス用プレゼンスサーバ５から各内線端末のプレゼンス状態を受信し出力する。
【００１５】
図２は、電話アダプタ１の概略構成図である。
【００１６】
図示するように、電話アダプタ１は、ネットワークＩＦ部１１と、電話ＩＦ部１２と、ＳＩＰ処理部１３と、ＲＴＰ処理部１４と、キー入力部１５と、表示部１６と、音源部１７と、プレゼンス状態記憶部１８と、主制御部１９と、を有する。
【００１７】
ネットワークＩＦ部１１は、ＩＰ網６に接続するためのインターフェースであり、トランスポート層以下の各層のプロトコル（ＴＣＰ（Ｔｒａｎｓｍｉｓｓｉｏｎ  Ｃｏｎｔｒｏｌ  Ｐｒｏｔｏｃｏｌ）、ＵＤＰ（Ｕｓｅｒ  Ｄａｔａｇｒａｍ  Ｐｒｏｔｏｃｏｌ）、ＩＰ、イーサネット（登録商標）等）を処理する。
【００１８】
電話ＩＦ部１２は、電話機２に接続するためのインターフェースであり、例えばＲＪ−１１のモジュラジャックを備える。
【００１９】
ＳＩＰ処理部１３は、ＩＰ電話の呼制御プロトコルであるＳＩＰを処理する。また、ＳＩＰ処理部１３は、公衆ＩＰ電話サービス用ＳＩＰサーバ３のＳＩＰ  ＵＡ（Ｕｓｅｒ  Ａｇｅｎｔ）である公衆ＩＰ電話サービス用ＳＩＰ処理部１３１と、内線ＩＰ電話サービス用ＳＩＰサーバ４のＳＩＰ  ＵＡである内線ＩＰ電話サービス用ＳＩＰ処理部１３２と、を有する。
【００２０】
ＲＴＰ処理部１４は、ＩＰ電話の通信プロトコルであるＲＴＰ（Ｒｅａｌ−ｔｉｍｅ  Ｔｒａｎｓｐｏｒｔ  Ｐｒｏｔｏｃｏｌ）を処理する。
【００２１】
キー入力部１５は、ユーザから指示を受け付けるためのものであり、複数のボタン等で構成される。
【００２２】
表示部１６は、各種情報をユーザに表示するためのものであり、液晶パネル等で構成される。
【００２３】
音源部１７には、ＲＢＴ（Ｒｉｎｇｉｎｇ  Ｂａｃｋ  Ｔｏｎｅ）、ＢＴ（Ｂｕｓｙ  Ｔｏｎｅ）等の呼制御に使用する音源データ、および各内線端末のプレゼンス状態を音声で再生するための音声データが記憶されている。
【００２４】
プレゼンス状態記憶部１８には、内線ＩＰ電話サービス用プレゼンスサーバ５より取得した各内線端末のプレゼンス状態が記憶される。
【００２５】
主制御部１９は、電話アダプタ１の各部１１〜１８を統括的に制御する。また、主制御部１９は、接続先判定部１９１と、発信制御部１９２と、着信制御部１９３と、中継制御部１９４と、プレゼンス状態管理部１９５と、を有する。
【００２６】
接続先判定部１９１は、電話ＩＦ部１２を介して電話機２から発信指示を受け付けた場合に、この発信指示で指定されている番号列に基づいて、公衆ＩＰ電話サービス用ＳＩＰ処理部１３１および内線ＩＰ電話サービス用ＳＩＰ処理部１３２のなかから、ＳＩＰの発信シーケンスを実施させる処理部（以下、接続先ＳＩＰ処理部と呼ぶ）を判定する。ここで、接続先ＳＩＰ処理部は、発信シーケンスの相手となるＳＩＰサーバに対応する。
【００２７】
発信制御部１９２は、電話ＩＦ部１２を介して電話機２から発信指示を受け付けた場合に、接続先判定部１９１により判定された接続先ＳＩＰ処理部に、この発信指示で指定されている番号列により特定される電話番号を通知して、接続先ＳＩＰ処理部によるＳＩＰの発信シーケンスを制御する。
【００２８】
着信制御部１９３は、公衆ＩＰ電話サービス用ＳＩＰ処理部１３１あるいは内線ＩＰ電話サービス用ＳＩＰ処理部１３２から接続要求メッセージを受信した場合に、電話ＩＦ部１２を介して電話機２に、この接続要求メッセージに含まれている接続元番号により特定される番号列を含む着信通知を送信するとともに、この接続要求メッセージを送信した公衆ＩＰ電話サービス用ＳＩＰ処理部１３１あるいは内線ＩＰ電話サービス用ＳＩＰ処理部１３２によるＳＩＰの着信シーケンスを制御する。
【００２９】
中継制御部１９４は、ＲＴＰ処理部１４から出力された音声データを音声信号に復号し、この音声信号を、電話ＩＦ部１２を介して電話機２に送信する。また、この電話機２から受け取った音声信号を音声データに符号化し、この音声データをＲＴＰ処理部１４に渡す。
【００３０】
プレゼンス状態管理部１９５は、ネットワークＩＦ部１１および内線ＩＰ電話サービス用ＳＩＰ処理部１３２を介して内線ＩＰ電話サービス用プレゼンスサーバ５より取得した、各内線端末のプレゼンス状態をプレゼンス状態記憶部１８に記憶する。また、プレゼンス状態管理部１９５は、プレゼンス状態記憶部１８に記憶されている各内線端末のプレゼンス状態を表示部１６に表示するとともに、これらのプレゼンス状態に対応する音声データを、音源部１７から読み出して電話ＩＦ部１２から出力する。さらに、プレゼンス状態管理部１９５は、キー入力部１５を介してユーザより、あるいは電話ＩＦ部１２を介して電話機２より受け付けたプレゼンス状態を、内線ＩＰ電話サービス用ＳＩＰ処理部１３２およびネットワークＩＦ部１１を介して内線ＩＰ電話サービス用プレゼンスサーバ５に通知する。
【００３１】
次に、電話アダプタ１の動作を説明する。
【００３２】
電話アダプタ１の動作は、公衆ＩＰ電話サービス用ＳＩＰサーバ３、内線ＩＰ電話サービス用ＳＩＰサーバ４に対する帰属および離脱に関する処理（以下、帰属管理処理と呼ぶ）、内線ＩＰ電話サービス用プレゼンスサーバ５に対するプレゼンス状態の通知および取得に関する処理（以下、プレゼンス管理処理と呼ぶ）、および、電話アダプタ１の発着信に関する処理（以下、発着信管理処理と呼ぶ）に分類される。
【００３３】
図３は、電話アダプタ１の帰属管理処理およびプレゼンス管理処理を説明するためのフロー図である。このフローは、電話アダプタ１の電源がＯＮになることで開始される。
【００３４】
先ず、公衆ＩＰ電話サービス用ＳＩＰ処理部１３１は、公衆ＩＰ電話サービス用ＳＩＰサーバ３への帰属（ログイン）処理を実施する（Ｓ１０）。具体的には、公衆ＩＰ電話サービス用ＳＩＰ処理部１３１は、ネットワークＩＦ部１１を介して公衆ＩＰ電話サービス用ＳＩＰサーバ３に、帰属のためのＲＥＧＩＳＴＥＲリクエストを送信する。そして、公衆ＩＰ電話サービス用ＳＩＰサーバ３から２００ＯＫレスポンスを受信することにより、公衆ＩＰ電話サービス用ＳＩＰサーバ３への電話アダプタ１の帰属が完了し、その旨を主制御部１９に通知する。これを受けて、主制御部１９は、表示部１６に、公衆ＩＰ電話サービスが利用可能になったことを表示させる。
【００３５】
次に、主制御部１９は、キー入力部１５を介してユーザから、あるいは電話ＩＦ部１２を介して電話機２から、内線ＩＰ電話サービス用ＳＩＰサーバ４への帰属指示を受け取るのを待つ（Ｓ１１）。そして、帰属指示を受け取ったならば（Ｓ１１でＹＥＳ）、主制御部１９は、内線ＩＰ電話サービス用ＳＩＰ処理部１３２に、内線ＩＰ電話サービス用ＳＩＰサーバ４への帰属を指示する。
【００３６】
これを受けて、内線ＩＰ電話サービス用ＳＩＰ処理部１３２は、内線ＩＰ電話サービス用ＳＩＰサーバ４への帰属処理を実施する（Ｓ１２）。具体的には、内線ＩＰ電話サービス用ＳＩＰ処理部１３２は、ネットワークＩＦ部１１を介して内線ＩＰ電話サービス用ＳＩＰサーバ４に、帰属のためのＲＥＧＩＳＴＥＲリクエストを送信する。そして、内線ＩＰ電話サービス用ＳＩＰサーバ４から２００ＯＫレスポンスを受信することにより、電話アダプタ１の内線ＩＰ電話サービス用ＳＩＰサーバ４への帰属が完了し、その旨を主制御部１９に通知する。これを受けて、主制御部１９は、表示部１６に、内線ＩＰ電話サービスが利用可能になったことを表示させる。
【００３７】
次に、内線ＩＰ電話サービス用ＳＩＰ処理部１３２は、ネットワークＩＦ部１１を介して内線ＩＰ電話サービス用プレゼンスサーバ５に、プレゼンス状態「出社（オンライン）」を登録するためのＳＵＢＳＣＲＩＢＥリクエストを送信する。そして、内線ＩＰ電話サービス用プレゼンスサーバ５から２０２  ＡＣＣＥＰＴＥＤを受信することにより、内線ＩＰ電話サービス用プレゼンスサーバ５へのプレゼンス状態の登録が完了する（Ｓ１３）。
【００３８】
さて、内線ＩＰ電話サービス用ＳＩＰサーバ４への帰属中において、内線ＩＰ電話サービス用ＳＩＰ処理部１３２は、ネットワークＩＦ部１１を介して内線ＩＰ電話サービス用プレゼンスサーバ５から、各内線端末のプレゼンス状態を受信したならば（Ｓ１４でＹＥＳ）、これら各内線端末のプレゼンス状態をプレゼンス状態管理部１９５に通知する。具体的には、内線ＩＰ電話サービス用ＳＩＰ処理部１３２は、ネットワークＩＦ部１１を介して内線ＩＰ電話サービス用プレゼンスサーバ５からＮＯＴＩＦＹリクエストを受信すると、内線ＩＰ電話サービス用プレゼンスサーバ５に２００ＯＫレスポンスを返信するとともに、このＮＯＴＩＦＹリクエストから各内線端末のプレゼンス状態を取り出し、これらのプレゼンス状態をプレゼンス状態管理部１９５に通知する。
【００３９】
これを受けて、プレゼンス状態管理部１９５は、プレゼンス状態記憶部１８に記憶されている各内線端末のプレゼンス状態を、内線ＩＰ電話サービス用ＳＩＰ処理部１３２から受け取った各内線端末の最新のプレゼンス状態に更新する（Ｓ１５）。また、各内線端末の最新のプレゼンス状態を表示部１６に表示する（Ｓ１６）。
【００４０】
また、内線ＩＰ電話サービス用ＳＩＰサーバ４への帰属中において、プレゼンス状態管理部１９５は、キー入力部１５を介してユーザから、あるいは電話ＩＦ部１２を介して電話機２から、変更後のプレゼンス状態の指定を伴うプレゼンス状態変更指示を受け取ると（Ｓ１７でＹＥＳ）、内線ＩＰ電話サービス用ＳＩＰ処理部１３２に、変更後のプレゼンス状態の登録を指示する。これを受けて、内線ＩＰ電話サービス用ＳＩＰ処理部１３２は、ネットワークＩＦ部１１を介して内線ＩＰ電話サービス用プレゼンスサーバ５に、変更後のプレゼンス状態（「外出中」、「食事中」、「接客中」、「在席」等）を登録するためのＰＵＢＬＩＳＨリクエストを送信する。そして、内線ＩＰ電話サービス用プレゼンスサーバ５から２００ＯＫレスポンスを受信することにより、内線ＩＰ電話サービス用プレゼンスサーバ５への変更後のプレゼンス状態の登録が完了する（Ｓ１８）。
【００４１】
また、内線ＩＰ電話サービス用ＳＩＰサーバ４への帰属中において、プレゼンス状態管理部１９５は、電話ＩＦ部１２を介して電話機２から、内線番号の指定を伴うプレゼンス状態取得指示を受け取ると（Ｓ１９でＹＥＳ）、プレゼンス状態記憶部１８から、この内線番号が割り当てられた内線端末のプレゼンス状態を検索する（Ｓ２０）。次に、プレゼンス状態管理部１９５は、検索したプレゼンス状態に対応する音声データを音源部１７から読み出し、この音声データを、電話ＩＦ部１２を介して電話機２に送信する（Ｓ２１）。
【００４２】
また、内線ＩＰ電話サービス用ＳＩＰサーバ４への帰属中において、主制御部１９は、キー入力部１５を介してユーザから、あるいは電話ＩＦ部１２を介して電話機２から、内線ＩＰ電話サービス用ＳＩＰサーバ４からの離脱指示を受け取ると（Ｓ２２でＹＥＳ）、内線ＩＰ電話サービス用ＳＩＰサーバ４からの離脱を内線ＩＰ電話サービス用ＳＩＰ処理部１３２に指示する。
【００４３】
これを受けて、内線ＩＰ電話サービス用ＳＩＰ処理部１３２は、内線ＩＰ電話サービス用ＳＩＰサーバ４からの離脱（ログアウト）処理を実施する（Ｓ２３）。具体的には、内線ＩＰ電話サービス用ＳＩＰ処理部１３２は、ネットワークＩＦ部１１を介して内線ＩＰ電話サービス用ＳＩＰサーバ４に、離脱のためのＲＥＧＩＳＴＥＲリクエストを送信する。そして、内線ＩＰ電話サービス用ＳＩＰサーバ４から２００ＯＫレスポンスを受信することにより、内線ＩＰ電話サービス用ＳＩＰサーバ４からの電話アダプタ１の離脱が完了し、その旨を主制御部１９に通知する。これを受けて、主制御部１９は、表示部１６に、内線ＩＰ電話サービスが利用停止になったことを表示させる。
【００４４】
次に、内線ＩＰ電話サービス用ＳＩＰ処理部１３２は、ネットワークＩＦ部１１を介して内線ＩＰ電話サービス用プレゼンスサーバ５に、プレゼンス状態「退社（オフライン）」を登録するためのＳＵＢＳＣＲＩＢＥリクエストを送信する。そして、内線ＩＰ電話サービス用プレゼンスサーバ５から２０２  ＡＣＣＥＰＴＥＤを受信することにより、内線ＩＰ電話サービス用プレゼンスサーバ５へのプレゼンス状態「退社」の登録が完了する（Ｓ２４）。
【００４５】
図４は、電話アダプタ１の発着信管理処理を説明するためのフロー図である。
【００４６】
発信制御部１９２は、電話ＩＦ部１２を介して電話機２から、接続先番号を含む番号列の指定を伴う発信指示を受け付けると（Ｓ３０でＹＥＳ）、接続先判定部１９１に、この番号列において接続先番号に付加されているプレフィックス番号を通知して、接続先ＳＩＰ処理部の判定を依頼する。これを受けて、接続先判定部１９１は、プレフィックス番号を解析して、接続先ＳＩＰ処理部が公衆ＩＰ電話サービス用ＳＩＰ処理部１３１であるか、それとも内線ＩＰ電話サービス用ＳＩＰ処理部１３２であるかを判定する。そして、その判定結果を発信制御部１９２に通知する（Ｓ３１）。
【００４７】
次に、発信制御部１９２は、接続先判定部１９１から通知された接続先ＳＩＰ処理部１３が公衆ＩＰ電話サービス用ＳＩＰ処理部１３１である場合（Ｓ３１で「公衆ＩＰ電話サービス」）、この発信指示で指定されている番号列からプレフィックス番号を削除する（Ｓ３２）。そして、発信制御部１９２は、公衆ＩＰ電話サービス用ＳＩＰ処理部１３１に、プレフィックス番号の削除により得られた接続先番号を通知して発信を指示する。
【００４８】
これを受けて、公衆ＩＰ電話サービス用ＳＩＰ処理部１３１は、ネットワークＩＦ部１１を介して公衆ＩＰ電話サービス用ＳＩＰサーバ３に、この接続先番号を含むＩＮＶＩＴＥリクエストを送信する。そして、発信制御部１９２と連携して、公衆ＩＰ電話サービス用ＳＩＰサーバ３に対してＳＩＰの発信シーケンスを実施する（Ｓ３３）。
【００４９】
そして、この発信シーケンスにより、接続先番号により特定される通話相手との間にセッションが確立されたならば、この通話相手との通話処理を開始する（Ｓ４５）。具体的には、ＲＴＰ処理部１４は、このセッションを介して通話相手から受信したＲＴＰパケットから通話データを取り出し、この通話データを中継制御部１９４に渡す。中継制御部１９４は、ＲＴＰ処理部１４から受け取った通話データを音声信号に復号し、電話ＩＦ部１２を介して、この音声信号を電話機２に送信する。また、中継制御部１９４は、電話ＩＦ部１２を介して電話機２から受信した音声信号を通話データに符号化し、この通話データをＲＴＰ処理部１４に渡す。ＲＴＰ処理部１４は、中継制御部１９４から受け取った通話データをＲＴＰパケットに格納し、このＲＴＰパケットを、セッションを介して通話相手に送信する。
【００５０】
また、発信制御部１９２は、接続先判定部１９１から通知された接続先ＳＩＰ処理部が内線ＩＰ電話サービス用ＳＩＰ処理部１３２である場合（Ｓ３１で「内線ＩＰ電話サービス」）、自電話アダプタ１が内線ＩＰ電話サービス用ＳＩＰサーバ４に帰属中でないならば（Ｓ３４でＮＯ）、電話ＩＦ部１２を介して電話機２にエラーメッセージを送信するなどの所定のエラー処理を行う（Ｓ４６）。一方、自電話アダプタ１が内線ＩＰ電話サービス用ＳＩＰサーバ４に帰属中であるならば（Ｓ３４でＹＥＳ）、この発信指示で指定されている番号列からプレフィックス番号を削除する（Ｓ３５）。そして、発信制御部１９２は、プレフィックス番号の削除により得られた接続先番号を内線ＩＰ電話サービス用ＳＩＰ処理部１３２に通知して発信を指示する。
【００５１】
これを受けて、内線ＩＰ電話サービス用ＳＩＰ処理部１３２は、ネットワークＩＦ部１１を介して内線ＩＰ電話サービス用ＳＩＰサーバ４に、この接続先番号を含むＩＮＶＩＴＥリクエストを送信する。そして、発信制御部１９２と連携して、内線ＩＰ電話サービス用ＳＩＰサーバ４に対してＳＩＰの発信シーケンスを実施する（Ｓ３６）。
【００５２】
そして、この発信シーケンスにより、接続先番号により特定される通話相手との間にセッションが確立されたならば、この通話相手との通話処理を開始する（Ｓ４５）。具体的には、ＲＴＰ処理部１４は、このセッションを介して通話相手から受信したＲＴＰパケットから通話データを取り出し、この通話データを中継制御部１９４に渡す。中継制御部１９４は、ＲＴＰ処理部１４から受け取った通話データを音声信号に復号し、この音声信号を、電話ＩＦ部１２を介して電話機２に送信する。また、中継制御部１９４は、電話ＩＦ部１２を介して電話機２から受信した音声信号を通話データに符号化し、この通話データをＲＴＰ処理部１４に渡す。ＲＴＰ処理部１４は、中継制御部１９４から受け取った通話データをＲＴＰパケットに格納し、このＲＴＰパケットを、セッションを介して通話相手に送信する。
【００５３】
また、公衆ＩＰ電話サービス用ＳＩＰ処理部１３１あるいは内線ＩＰ電話サービス用ＳＩＰ処理部１３２は、ネットワークＩＦ部１１を介してＩＮＶＩＴＥリクエストを受信すると（Ｓ３７でＹＥＳ）、着信制御部１９３に、このＩＮＶＩＴＥリクエストに含まれている接続元番号を通知する。
【００５４】
これを受けて、着信制御部１９３は、この接続元番号が公衆ＩＰ電話サービス用ＳＩＰ処理部１３１より通知されたならば（Ｓ３８で「公衆ＩＰ電話サービス」）、この接続元番号に、予め定められた公衆ＩＰ電話サービス用のプレフィックス番号を付加する（Ｓ３９）。また、着信制御部１９３は、電話ＩＦ部１２を介して電話機２に、このプレフィックス番号を接続元番号に付加することにより得られた番号列の指定を含む着信通知を送信するとともに、公衆ＩＰ電話サービスに対応する着信音の鳴動パターンを音源部１７から読み出して送信する（Ｓ４０）。また、公衆ＩＰ電話サービス用ＳＩＰ処理部１３１は、着信制御部１９３と連携し、電話機２の着信応答操作（オフフック）があったならば、公衆ＩＰ電話サービス用ＳＩＰサーバ３に対してＳＩＰの着信シーケンスを続行する（Ｓ４１）。
【００５５】
そして、この着信シーケンスにより、接続元番号により特定される通話相手との間にセッションが確立されたならば、この通話相手との通話処理を開始する（Ｓ４５）。具体的には、ＲＴＰ処理部１４は、このセッションを介して通話相手から受信したＲＴＰパケットから通話データを取り出し、この通話データを中継制御部１９４に渡す。中継制御部１９４は、ＲＴＰ処理部１４から受け取った通話データを音声信号に復号し、この音声信号を、電話ＩＦ部１２を介して電話機２に送信する。また、中継制御部１９４は、電話ＩＦ部１２を介して電話機２から受信した音声信号を通話データに符号化し、この通話データをＲＴＰ処理部１４に渡す。ＲＴＰ処理部１４は、中継制御部１９４から受け取った通話データをＲＴＰパケットに格納し、このＲＴＰパケットを、セッションを介して通話相手に送信する。
【００５６】
また、着信制御部１９３は、接続元番号が内線ＩＰ電話サービス用ＳＩＰ処理部１３２より通知されたならば（Ｓ３８で「内線ＩＰ電話サービス」）、この接続元番号に、予め定められた内線ＩＰ電話サービス用のプレフィックス番号を付加する（Ｓ４２）。また、着信制御部１９３は、電話ＩＦ部１２を介して電話機２に、このプレフィックス番号を接続元番号に付加することにより得られた番号列を含む着信通知を送信するとともに、内線ＩＰ電話サービスに対応する着信音の鳴動パターンを音源部１７から読み出して送信する（Ｓ４３）。また、内線ＩＰ電話サービス用ＳＩＰ処理部１３２は、着信制御部１９３と連携し、電話機２の着信応答操作（オフフック）があったならば、内線ＩＰ電話サービス用ＳＩＰサーバ４に対してＳＩＰの着信シーケンスを続行する（Ｓ４４）。
【００５７】
そして、この着信シーケンスにより、接続元番号により特定される通話相手との間にセッションが確立されたならば、この通話相手との通話処理を開始する（Ｓ４５）。具体的には、ＲＴＰ処理部１４は、このセッションを介して通話相手から受信したＲＴＰパケットから通話データを取り出し、この通話データを中継制御部１９４に渡す。中継制御部１９４は、ＲＴＰ処理部１４から受け取った通話データを音声信号に復号し、この音声信号を、電話ＩＦ部１２を介して電話機２に送信する。また、中継制御部１９４は、電話ＩＦ部１２を介して電話機２から受信した音声信号を通話データに符号化し、この通話データをＲＴＰ処理部１４に渡す。ＲＴＰ処理部１４は、中継制御部１９４から受け取った通話データをＲＴＰパケットに格納し、このＲＴＰパケットを、セッションを介して通話相手に送信する。
【００５８】
次に、図１に示すＩＰ電話システムの動作例を説明する。
【００５９】
図５は、電話アダプタ１が、公衆ＩＰ電話サービス用ＳＩＰサーバ３、内線ＩＰ電話サービス用ＳＩＰサーバ４に帰属する場合、変更後のプレゼンス状態を内線ＩＰ電話サービス用プレゼンスサーバ５に登録する場合、および内線ＩＰ電話サービス用ＳＩＰサーバ４から離脱する場合におけるＩＰ電話システムの動作例を説明するためのシーケンス図である。
【００６０】
先ず、電話アダプタ１は、電源がＯＮになると（Ｓ５０）、公衆ＩＰ電話サービス用ＳＩＰサーバ３に対して、帰属のためのＲＥＧＩＳＴＥＲリクエストを送信する（Ｓ５１）。これを受けて、公衆ＩＰ電話サービス用ＳＩＰサーバ３は、自身に電話アダプタ１を帰属させ、電話アダプタ１に２００ＯＫレスポンスを返す（Ｓ５２）。これにより、公衆ＩＰ電話サービス用ＳＩＰサーバ３への電話アダプタ１の帰属が完了し、電話アダプタ１は、公衆ＩＰ電話サービスが利用可能になったことを表示する。
【００６１】
次に、電話アダプタ１は、電話機２から、内線ＩＰ電話サービス用ＳＩＰサーバ４への帰属指示を例えば所定のＤＴＭＦ（Ｄｕａｌ  Ｔｏｎｅ  Ｍｕｌｔｉ  Ｆｒｅｑｕｅｎｃｙ）信号列により受信すると（Ｓ５３）、あるいは、電話アダプタ１に備えられたキー入力部１５で受け付けると、内線ＩＰ電話サービス用ＳＩＰサーバ４に対して、帰属のためのＲＥＧＩＳＴＥＲリクエストを送信する（Ｓ５４）。これを受けて、内線ＩＰ電話サービス用ＳＩＰサーバ４は、自身に電話アダプタ１を帰属させ、電話アダプタ１に２００ＯＫレスポンスを返す（Ｓ５５）。これにより、内線ＩＰ電話サービス用ＳＩＰサーバ４への電話アダプタ１の帰属が完了し、電話アダプタ１は、内線ＩＰ電話サービスが利用可能になったことを表示する。
【００６２】
それから、電話アダプタ１は、内線ＩＰ電話サービス用プレゼンスサーバ５に対して、プレゼンス状態「出社（オンライン）」を登録するためのＳＵＢＳＣＲＩＢＥリクエストを送信する（Ｓ５６）。これを受けて、内線ＩＰ電話サービス用プレゼンスサーバ５は、自身が管理している電話アダプタ１のプレゼンス状態を「出社（オンライン）」に更新し、電話アダプタ１に２０２  ＡＣＣＥＰＴＥＤを返す（Ｓ５７）。また、内線ＩＰ電話サービス用プレゼンスサーバ５は、各内線端末の最新のプレゼンス状態を通知するためのＮＯＴＩＦＹリクエストを各内線端末に送信する（Ｓ５８）。電話アダプタ１は、内線ＩＰ電話サービス用プレゼンスサーバ５からＮＯＴＩＦＹリクエストを受信すると、２００ＯＫレスポンスを返信するとともに（Ｓ５９）、このＮＯＴＩＦＹリクエストに含まれている各内線端末のプレゼンス状態を登録し表示する（Ｓ６０）。
【００６３】
次に、電話アダプタ１は、電話機２から、変更後のプレゼンス状態の指定を伴うプレゼンス状態変更指示を例えば所定のＤＴＭＦ信号列により受信すると（Ｓ６１）、あるいは、電話アダプタ１に備えられたキー入力部１５で受け付けると、内線ＩＰ電話サービス用プレゼンスサーバ５に対して、指定された変更後のプレゼンス状態を登録するためのＰＵＢＬＩＳＨリクエストを送信する（Ｓ６２）。これを受けて、内線ＩＰ電話サービス用プレゼンスサーバ５は、自身が管理している電話アダプタ１のプレゼンス状態を、このＰＵＢＬＩＳＨリクエストに含まれている変更後のプレゼンス状態に更新し、電話アダプタ１に２００ＯＫレスポンスを返す（Ｓ６３）。また、内線ＩＰ電話サービス用プレゼンスサーバ５は、各内線端末の最新のプレゼンス状態を通知するためのＮＯＴＩＦＹリクエストを各内線端末に送信する（Ｓ６４）。電話アダプタ１は、内線ＩＰ電話サービス用プレゼンスサーバ５からＮＯＴＩＦＹリクエストを受信すると、２００ＯＫレスポンスを返信するとともに（Ｓ６５）、このＮＯＴＩＦＹリクエストに含まれている各内線端末のプレゼンス状態を登録し表示する（Ｓ６６）。
【００６４】
さて、電話アダプタ１は、電話機２から、内線ＩＰ電話サービス用ＳＩＰサーバ４からの離脱指示を例えば所定のＤＴＭＦ信号列により受信すると（Ｓ６７）、あるいは、電話アダプタ１に備えられたキー入力部１５で受け付けると、内線ＩＰ電話サービス用ＳＩＰサーバ４に対して、離脱のためのＲＥＧＩＳＴＥＲリクエストを送信する（Ｓ６８）。これを受けて、内線ＩＰ電話サービス用ＳＩＰサーバ４は、電話アダプタ１を自身から離脱させ、電話アダプタ１に２００ＯＫレスポンスを返す（Ｓ６９）。これにより、内線ＩＰ電話サービス用ＳＩＰサーバ４からの電話アダプタ１の離脱が完了し、電話アダプタ１は、内線ＩＰ電話サービスが利用不能になったことを表示する。
【００６５】
それから、電話アダプタ１は、内線ＩＰ電話サービス用プレゼンスサーバ５に対して、プレゼンス状態「退社（オフライン）」を登録するためのＳＵＢＳＣＲＩＢＥリクエストを送信する（Ｓ７０）。これを受けて、内線ＩＰ電話サービス用プレゼンスサーバ５は、自身が管理している電話アダプタ１のプレゼンス状態を「退社（オフライン）」に更新し、電話アダプタ１に２０２  ＡＣＣＥＰＴＥＤを返す（Ｓ７１）。また、内線ＩＰ電話サービス用プレゼンスサーバ５は、各内線端末の最新のプレゼンス状態を通知するためのＮＯＴＩＦＹリクエストを各内線端末に送信する。
【００６６】
図６（Ａ）は、電話アダプタ１が電話機２に内線端末のプレゼンス状態を通知する場合におけるＩＰ電話システムの動作例を説明するためのシーケンス図である。
【００６７】
電話アダプタ１は、電話機２から、内線端末の指定を伴うプレゼンス状態取得指示を例えば所定のＤＴＭＦ信号列により受信すると（Ｓ８０）、指定された内線端末のプレゼンス状態をプレゼンス状態記憶部１８から検索し、このプレゼンス状態を表す音声データを音源部１７から選択する（Ｓ８１）。そして、この音声データを電話機２に送信する（Ｓ８２）。電話機２は、電話アダプタ１から受信した、プレゼンス状態を表す音声データを出力する（Ｓ８３）。
【００６８】
図７（Ａ）は、電話アダプタ１が公衆ＩＰ電話サービス用ＳＩＰサーバ３に発信する場合におけるＩＰ電話システムの動作例を説明するためのシーケンス図である。この例では、公衆ＩＰ電話サービスを利用するためのプレフィックス番号を「０」としている。
【００６９】
電話アダプタ１は、電話機２から、番号列（プレフィックス番号「０」が付加された接続先番号）の指定を伴う発信指示を受け付けると（Ｓ１００）、このプレフィックス番号「０」に基づいて、公衆ＩＰ電話サービス用ＳＩＰ処理部１３１を接続先ＳＩＰ処理部と判定する（Ｓ１０１）。次に、電話アダプタ１は、番号列からプレフィックス番号「０」を削除することにより接続先番号を得る（Ｓ１０２）。そして、公衆ＩＰ電話サービス用ＳＩＰサーバ３に、この接続先番号を含むＩＮＶＩＴＥリクエストを送信して（Ｓ１０３）、ＳＩＰの発信シーケンスを実施する。
【００７０】
図７（Ｂ）は、電話アダプタ１が内線ＩＰ電話サービス用ＳＩＰサーバ４に発信する場合におけるＩＰ電話システムの動作例を説明するためのシーケンス図である。この例では、内線ＩＰ電話サービスを利用するためのプレフィックス番号を「９」としている。
【００７１】
電話アダプタ１は、電話機２から、番号列（プレフィックス番号「９」が付加された接続先番号）の指定を伴う発信指示を受け付けると（Ｓ１０５）、このプレフィックス番号「９」に基づいて、内線ＩＰ電話サービス用ＳＩＰ処理部１３２を接続先ＳＩＰ処理部と判定する（Ｓ１０６）。次に、電話アダプタ１は、番号列からプレフィックス番号「９」を削除することにより接続先番号を得る（Ｓ１０７）。そして、内線ＩＰ電話サービス用ＳＩＰサーバ４に、この接続先番号を含むＩＮＶＩＴＥリクエストを送信して（Ｓ１０８）、ＳＩＰの発信シーケンスを実施する。
【００７２】
図８（Ａ）は、公衆ＩＰ電話サービス用ＳＩＰサーバ３から電話アダプタ１に着信する場合におけるＩＰ電話システムの動作例を説明するためのシーケンス図である。この例では、公衆ＩＰ電話サービスを利用するためのプレフィックス番号を「０」としている。
【００７３】
電話アダプタ１は、公衆ＩＰ電話サービス用ＳＩＰサーバ３からＩＮＶＩＴＥリクエストを受信すると（Ｓ１１０）、このＩＮＶＩＴＥリクエストの着信先のＳＩＰ処理部が公衆ＩＰ電話サービス用ＳＩＰ処理部１３１であると判定する（Ｓ１１１）。次に、電話アダプタ１は、このＩＮＶＩＴＥリクエストに含まれている接続元番号にプレフィックス番号「０」を付加する（Ｓ１１２）。そして、これにより得られた番号列を電話機２に通知するとともに（Ｓ１１３）、公衆ＩＰ電話サービス用の着信音の鳴動パターンＡを電話機２に送信する（Ｓ１１４）。
【００７４】
図８（Ｂ）は、内線ＩＰ電話サービス用ＳＩＰサーバ４から電話アダプタ１に着信する場合におけるＩＰ電話システムの動作例を説明するためのシーケンス図である。この例では、内線ＩＰ電話サービスを利用するためのプレフィックス番号を「９」としている。
【００７５】
電話アダプタ１は、内線ＩＰ電話サービス用ＳＩＰサーバ４からＩＮＶＩＴＥリクエストを受信すると（Ｓ１１５）、このＩＮＶＩＴＥリクエストの着信先のＳＩＰ処理部が内線ＩＰ電話サービス用ＳＩＰ処理部１３２であると判定する（Ｓ１１６）。次に、電話アダプタ１は、このＩＮＶＩＴＥリクエストに含まれている接続元番号にプレフィックス番号「９」を付加する（Ｓ１１７）。そして、これにより得られた番号列を電話機２に通知するとともに（Ｓ１１８）、内線ＩＰ電話サービス用の着信音の鳴動パターンＢを電話機２に送信する（Ｓ１１９）。
【００７６】
以上、本発明の一実施の形態を説明した。
【００７７】
本実施の形態において、電話アダプタ１は、電話機２から発信指示を受け付けた場合に、この発信指示で指定されている番号列に基づいて、公衆ＩＰ電話サービス用ＳＩＰサーバ３および内線ＩＰ電話サービス用ＳＩＰサーバ４のなかから接続先のＳＩＰサーバを判定している。そして、この接続先のＳＩＰサーバに、この発信指示で指定されている番号列により特定される接続先番号を含むＩＮＶＩＴＥリクエストを送信して、ＳＩＰの発信シーケンスを実施する。したがって、本実施の形態によれば、例えばプライベート用には公衆ＩＰ電話サービス用ＳＩＰサーバ３、ビジネス用には内線ＩＰ電話サービス用ＳＩＰサーバ４といったように、一つの電話機２で複数のＳＩＰサーバを使い分けることが可能となる。
【００７８】
また、本実施の形態において、電話アダプタ１は、電話機２から発信指示を受け付けた場合に、この発信指示で指定されている番号列に含まれているプレフィックス番号に基づいて、公衆ＩＰ電話サービス用ＳＩＰサーバ３および内線ＩＰ電話サービス用ＳＩＰサーバ４のなかから接続先のＳＩＰサーバを判定している。ここで、公衆ＩＰ電話サービス用ＳＩＰサーバ３を利用する場合にのみ接続先番号にプレフィックス番号を付加し、内線ＩＰ電話サービス用ＳＩＰサーバ４を利用する場合にはプレフィックス番号を付加しないようしても、番号列におけるプレフィックス番号の有無で、接続先のＳＩＰサーバを判定することが可能である。しかし、このようにすると、番号列の先頭番号がプレフィックス番号と一致する場合に、内線ＩＰ電話サービス用ＳＩＰサーバ４を利用することができない。この点、本実施の形態では、接続先番号に必ずプレフィックス番号を付加し、このプレフックス番号の値に基づいて中継先のＳＩＰサーバを判定しているので、接続先番号の先頭番号の値にかかわらず、公衆ＩＰ電話サービス用ＳＩＰサーバ３および内線ＩＰ電話サービス用ＳＩＰサーバ４の両方を使い分けることが可能となる。
【００７９】
また、本実施の形態において、電話アダプタ１は、公衆ＩＰ電話サービス用ＳＩＰサーバ３あるいは内線ＩＰ電話サービス用ＳＩＰサーバ４からＩＮＶＩＴＥリクエストを受信した場合に、このＩＮＶＩＴＥリクエストに含まれている接続元番号を電話機２に通知する。したがって、電話機２のユーザは、発信者の情報を知ることができる。
【００８０】
また、本実施の形態において、電話アダプタ１は、公衆ＩＰ電話サービス用ＳＩＰサーバ３あるいは内線ＩＰ電話サービス用ＳＩＰサーバ４から受信したＩＮＶＩＴＥリクエストに含まれている接続元番号に、送信元のＳＩＰサーバに対応するプレフィックス番号を付加した番号列を、電話機２に通知する。したがって、電話機２のユーザは、プレフィックス番号を確認することで、送信元が公衆ＩＰ電話サービス用ＳＩＰサーバ３なのか、それとも内線ＩＰ電話サービス用ＳＩＰサーバ４なのかを知ることができる。また、このプレフィックス番号を接続元番号に付加することにより得られた番号列をそのまま接続先番号として発信することで、送信元のＳＩＰサーバに対して発信することができる。
【００８１】
また、本実施の形態において、電話アダプタ１は、公衆ＩＰ電話サービス用ＳＩＰサーバ３あるいは内線ＩＰ電話サービス用ＳＩＰサーバ４からＩＮＶＩＴＥリクエストを受信した場合に、送信元のＳＩＰサーバに対応する着信音の鳴動パターンを電話機２に送信する。したがって、電話機２のユーザは、着信音の鳴動パターンを確認することで、送信元が公衆ＩＰ電話サービス用ＳＩＰサーバ３なのか、それとも内線ＩＰ電話サービス用ＳＩＰサーバ４なのかを知ることができる。
【００８２】
また、本実施の形態において、電話アダプタ１は、内線ＩＰ電話サービス用プレゼンスサーバ５にプレゼンス状態を通知する。具体的には、電話機２よりプレゼンス状態変更指示を受け付けた場合に、このプレゼンス状態変更指示で指定されている変更後のプレゼンス状態を内線ＩＰ電話サービス用プレゼンスサーバ５に通知する。また、内線ＩＰ電話サービス用ＳＩＰサーバ４に帰属した場合に、「出社（オンライン）」を表すプレゼンス状態を内線ＩＰ電話サービス用プレゼンスサーバ５に通知し、内線ＩＰ電話サービス用ＳＩＰサーバ４から離脱した場合に、「退社（オフライン）」を表すプレゼンス状態を内線ＩＰ電話サービス用ＳＩＰサーバ４に通知する。また、電話アダプタ１は、内線ＩＰ電話サービス用プレゼンスサーバ５から、内線ＩＰ電話サービス用ＳＩＰサーバ４の各内線端末のプレゼンス状態を受信して出力する。したがって、本実施の形態によれば、各内線端末のプレゼンス状態をユーザに知らせることができる。
【００８３】
また、本実施の形態において、電話アダプタ１は、電話機２から受信したプレゼンス状態取得指示で指定されている内線端末のプレゼンス状態を表す音声データを電話機２に送信する。したがって、電話機２のユーザは、所望の内線端末のプレゼンス状態を知ることが可能となる。
【００８４】
なお、本発明は上記の実施の形態に限定されるものではなく、その要旨の範囲内で数々の変形が可能である。
【００８５】
例えば、上記の実施の形態において、電話アダプタ１は、電話機２からプレゼンス状態取得指示を受信した場合に、このプレゼンス状態取得指示で指定されている内線端末のプレゼンス状態をプレゼンス状態記憶部１８から検索し、検索したプレゼンス状態に対応する音声データを音源部１７から読み出して電話機２に送信している。しかし、本発明はこれに限定されない。内線ＩＰ電話サービス用プレゼンスサーバ５が、内線端末のプレゼンス状態に対応する音声データを、電話アダプタ１経由で電話機２に送信するようにしてもよい。
【００８６】
図６（Ｂ）は、内線ＩＰ電話サービス用プレゼンスサーバ５が電話機２に内線端末のプレゼンス状態を通知する場合におけるＩＰ電話システムの動作例を説明するためのシーケンス図である。
【００８７】
電話アダプタ１は、内線端末の指定を伴うプレゼンス状態取得指示を電話機２から例えば所定のＤＴＭＦ信号列により受信すると（Ｓ８５）、内線ＩＰ電話サービス用プレゼンスサーバ５に対して発信シーケンスを行って（Ｓ８６〜Ｓ８８）、この内線ＩＰ電話サービス用プレゼンスサーバ５との間にセッションを確立する。次に、電話アダプタ１は、このセッションを介して内線ＩＰ電話サービス用プレゼンスサーバ５に、プレゼンス状態取得指示を例えばＤＴＭＦ信号列により送信する。これを受けて、内線ＩＰ電話サービス用プレゼンスサーバ５は、このセッションを介して電話機２に、このプレゼンス状態要求で指定されている内線端末のプレゼンス状態に対応する音声データを送信する（Ｓ８９）。電話アダプタ１は、内線ＩＰ電話サービス用プレゼンスサーバ５から受け取った音声データを音声信号に復号して、この音声信号を電話機２に送信する（Ｓ９０）。
【００８８】
また、上記の実施の形態において、内線ＩＰ電話サービス用ＳＩＰサーバ４が内線端末に送信するＩＮＶＩＴＥリクエストに、接続元の端末が内線端末であるか、それとも公衆ＩＰ電話サービスを利用する外線端末（この場合、この外線端末から発せられたＩＮＶＩＴＥリクエストは、公衆ＩＰ電話サービス用ＳＩＰサーバ３および内線ＩＰ電話サービス用ＳＩＰサーバ４を経由して電話アダプタ１に着信したことになる）であるかを示す情報を含むＡｌｅｒｔ−Ｉｎｆｏヘッドを付加する場合、電話アダプタ１は、このＡｌｅｒｔ−Ｉｎｆｏヘッドに含まれている情報に基づいて、内線ＩＰ電話サービス用ＳＩＰサーバ４経由で受信したＩＮＶＩＴＥリクエストに対応する着信音の鳴動パターンを、接続元が内線端末であるか、それとも外線端末であるかで異ならせるようにしてもよい。
【００８９】
また、上記の実施の形態では、公衆ＩＰ電話サービス用ＳＩＰサーバ３および内線ＩＰ電話サービス用ＳＩＰサーバ４が各々一つの場合を例にとり説明した。しかし、本発明は、公衆ＩＰ電話サービス用ＳＩＰサーバ３および内線ＩＰ電話サービス用ＳＩＰサーバ４の何れか一方または両方が複数あってもかまわない。この場合、ＳＩＰサーバの数分のプレフィックス番号を用意する。また、公衆ＩＰ電話サービス用ＳＩＰサーバ３毎に公衆ＩＰ電話サービス用ＳＩＰ処理部１３１を設けるとともに、内線ＩＰ電話サービス用ＳＩＰサーバ４毎に内線ＩＰ電話サービス用ＳＩＰ処理部１３２を設ける。また、プレゼンス状態管理部１９５に、内線ＩＰ電話サービス用ＳＩＰサーバ４毎に、内線端末のプレゼンス状態を管理させる。
【００９０】
また、上記の実施の形態において、電話アダプタ１は、電話機２から受け取った発信指示で指定されている番号列に含まれるプレフィックス番号に基づいて、接続先ＳＩＰ処理部（つまり接続先のＳＩＰサーバ）を判定しているが、本発明はこれに限定されない。例えば接続先番号の番号体系（桁数、先頭番号「０」で始まるか等）に基づいて、接続先ＳＩＰ処理部を判定するようにしてもよい。この場合、電話アダプタ１は、公衆ＩＰ電話サービス用ＳＩＰサーバ３あるいは内線ＩＰ電話サービス用ＳＩＰサーバ４より受信したＩＮＶＩＴＥリクエストに含まれている接続元番号を、この接続元番号にプレフックス番号を付加することなく電話機２に通知するようにする。
【００９１】
また、上記の実施の形態において、電話アダプタ１は電話機２と分離されているが、本発明はこれに限定されない。電話アダプタ１は電話機２と一体化されていてもよい。
【００９２】
また、上記の実施の形態では、電話機２が通常のアナログ電話機である場合を例にとり、番号列を「数字」として説明したが、本発明はこれに限定されない。電話機２はＩＰ電話機であってもよいし、番号列は「文字」であってもよいし、「数字」と「文字」から構成されていてもよい。
【００９３】
また、上記の実施の形態において、図２に示す電話アダプタ１の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実行されるものでもよい。あるいは、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【００９４】
また、上記の実施の形態では、ＩＰ電話サービスを例にとり説明したが、本発明はＩＰ電話サービス以外の電話サービスにも同様に適用できる。
【図面の簡単な説明】
【００９５】
【図１】図１は、本発明の一実施の形態に係る電話アダプタ１を含むＩＰ電話システムの概略図である。
【図２】図２は、電話アダプタ１の概略構成図である。
【図３】図３は、電話アダプタ１の帰属管理処理およびプレゼンス管理処理を説明するためのフロー図である。
【図４】図４は、電話アダプタ１の発着信管理処理を説明するためのフロー図である。
【図５】図５は、電話アダプタ１が、公衆ＩＰ電話サービス用ＳＩＰサーバ３、内線ＩＰ電話サービス用ＳＩＰサーバ４に帰属する場合、変更後のプレゼンス状態を内線ＩＰ電話サービス用プレゼンスサーバ５に登録する場合、および内線ＩＰ電話サービス用ＳＩＰサーバ４から離脱する場合におけるＩＰ電話システムの動作例を説明するためのシーケンス図である。
【図６】図６（Ａ）は、電話アダプタ１が電話機２に内線端末のプレゼンス状態を通知する場合におけるＩＰ電話システムの動作例を説明するためのシーケンス図であり、図６（Ｂ）は、内線ＩＰ電話サービス用プレゼンスサーバ５が電話機２に内線端末のプレゼンス状態を通知する場合におけるＩＰ電話システムの動作例を説明するためのシーケンス図である。
【図７】図７（Ａ）は、電話アダプタ１が公衆ＩＰ電話サービス用ＳＩＰサーバ３に発信する場合におけるＩＰ電話システムの動作例を説明するためのシーケンス図であり、図７（Ｂ）は、電話アダプタ１が内線ＩＰ電話サービス用ＳＩＰサーバ４に発信する場合におけるＩＰ電話システムの動作例を説明するためのシーケンス図である。
【図８】図８（Ａ）は、公衆ＩＰ電話サービス用ＳＩＰサーバ３から電話アダプタ１に着信する場合におけるＩＰ電話システムの動作例を説明するためのシーケンス図であり、図８（Ｂ）は、内線ＩＰ電話サービス用ＳＩＰサーバ４から電話アダプタ１に着信する場合におけるＩＰ電話システムの動作例を説明するためのシーケンス図である。
【符号の説明】
【００９６】
１：電話アダプタ、２：電話機、３：公衆ＩＰ電話サービス用ＳＩＰサーバ、４：内線ＩＰ電話サービス用ＳＩＰサーバ、５：内線ＩＰ電話サービス用プレゼンスサーバ、６：ＩＰ網、１１：ネットワークＩＦ部、１２：電話ＩＦ部、１３：ＳＩＰ処理部、１４：ＲＴＰ処理部、１５：キー入力部、１６：表示部、１７：音源部、１８：プレゼンス状態記憶部、１３１：公衆ＩＰ電話サービス用ＳＩＰ処理部、１３２：内線ＩＰ電話サービス用ＳＩＰ処理部、１９１：接続先判定部、１９２：発信制御部、１９３：着信制御部、１９４：中継制御部、１９５：プレゼンス状態管理部
【図１】
0005282439.tif 000002
【図２】
0005282439.tif 000003
【図３】
0005282439.tif 000004
【図４】
0005282439.tif 000005
【図５】
0005282439.tif 000006
【図６】
0005282439.tif 000007
【図７】
0005282439.tif 000008
【図８】
0005282439.tif 000009